(57)【要約】【課題】システム天井に設置される吹出ユニット（10）について、吹出ユニット（10）を枠部材（30）の枠を塞ぐ設置状態でも枠部材（30）の枠の一部が開口する設置状態でも設置可能に構成する。【解決手段】ケーシング（34）の第１の構成面（35）をシステム天井の枠部材（30）の枠に対応する形状に形成する。ケーシング（34）が第１の構成面（35）が底面となる状態で枠部材（30）の枠に嵌め込まれて第２開口（27）にダクト（15）が接続され且つ第１開口（26）が吹出口となる第１の設置状態と、ケーシング（34）が第２の構成面（36）が底面となる状態で枠部材（30）の枠に嵌め込まれて第１開口（26）にダクト（15）が接続され且つ第２開口（27）が吹出口となる第２の設置状態との何れでも設置可能に吹出ユニット（10）を構成する。【選択図】図２
2008014544.tif 000002
【特許請求の範囲】
【請求項１】
ダクト（15）を通じて供給される調和空気が室内へ吹き出されるまでの間を流通する空気通路（25）が内部に形成されるケーシング（34）を備え、システム天井に設置される吹出ユニットであって、
上記ケーシング（34）は、対向する一対の構成面がシステム天井の枠部材（30）の枠に対応する形状となった扁平な箱状に形成され、
上記ケーシング（34）では、上記枠部材（30）の枠に対応する形状となった第１の構成面（35）に第１開口（26）が、該第１の構成面（35）に隣り合う第２の構成面（36）に第２開口（27）がそれぞれ形成され、
上記ケーシング（34）が第１の構成面（35）が底面となる状態で上記枠部材（30）の枠に嵌め込まれて第２開口（27）にダクト（15）が接続され且つ第１開口（26）が吹出口となる第１の設置状態と、上記ケーシング（34）が第２の構成面（36）が底面となる状態で上記枠部材（30）の枠に嵌め込まれて第１開口（26）にダクト（15）が接続され且つ第２開口（27）が吹出口となる第２の設置状態との何れでも設置可能に構成されていることを特徴とする吹出ユニット。
【請求項２】
請求項１において、
上記ケーシング（34）の空気通路（25）には、上記ダクト（15）から該空気通路（25）に流入する空気を上記吹出口へ送るためのファンユニット（12）が設けられていることを特徴とする吹出ユニット。
【請求項３】
請求項２において、
上記ファンユニット（12）は、上記第１開口（26）に対面する第１の送風口（23）と上記第２開口（27）に対面する第２の送風口（24）と側方に開口する吸気口（20）とが形成されたファンハウジング（14）と、該ファンハウジング（14）に収容されて多数の羽根が回転方向に並ぶ状態で設けられた羽根車（13）と、上記第１の送風口（23）を開閉するための第１の蓋部材（21）と、上記第２の送風口（24）を開閉するための第２の蓋部材（22）とを備えており、
上記第１の設置状態では上記第１の蓋部材（21）により第１の送風口（23）が開状態に設定されて上記第２の蓋部材（22）により第２の送風口（24）が閉状態に設定され、上記第２の設置状態では上記第１の蓋部材（21）により第１の送風口（23）が閉状態に設定されて上記第２の蓋部材（22）により第２の送風口（24）が開状態に設定されることを特徴とする吹出ユニット。
【請求項４】
請求項１乃至３の何れか１つにおいて、
上記ケーシング（34）の空気通路（25）において上記第１開口（26）と第２開口（27）とに跨る状態で取り付けられるフィルタ部材（40）を備えていることを特徴とする吹出ユニット。
【請求項５】
請求項４において、
上記ケーシング（34）の空気通路（25）には、上記第１開口（26）から挿入されるフィルタ部材（40）を第２開口（27）側へ案内すると共に、該第２開口（27）から挿入されるフィルタ部材（40）を第１開口（26）側へ案内するガイド部材（43,44）が設けられていることを特徴とする吹出ユニット。
【発明の詳細な説明】
【技術分野】
【０００１】
本発明は、ダクトを通じて供給される調和空気を室内へ供給するための吹出ユニットに関するものである。
【背景技術】
【０００２】
従来より、建物の天井部に設置されて、ダクトから流入する調和空気を室内へ吹き出す吹出ユニットが知られている。吹出ユニットは、例えば天井裏に設置された空調機の室内機にダクトを介して接続され、室内機からの調和空気を室内へ吹き出すことができるように設置される。
【０００３】
特許文献１には、この種の吹出ユニットとしての吹出チャンバが開示されている。この吹出チャンバは、建屋の天井と天井板との間の天井空間に設置される。吹出ユニットは、吹出口が室内空間に臨むように天井板の開口に嵌め込まれ、側面に吹出ダクトの一端が接続される。吹出ダクトの他端は空気調和装置のユニット本体に接続される。吹出チャンバでは、ユニット本体で冷却又は暖房された調和空気が吹出ダクトを通じて流入し、内部を流通して吹出口から室内へ吹き出される。
【特許文献１】特開２００６−３８３７８号公報
【発明の開示】
【発明が解決しようとする課題】
【０００４】
ところで、近年、オフィスビルなどでは、いわゆるシステム天井がよく用いられる。システム天井は、例えば格子状に形成されたシステム天井用の枠部材を建物の躯体から吊り下げ、その枠部材に天井板や照明器具などを取り付けることにより構成される。
【０００５】
ここで、システム天井では、空調機の室内機が例えば天井裏に設置されて、その室内機にダクトを介して接続される吹出ユニットが枠部材に取り付けられる場合がある。システム天井用の吹出ユニットは、吹出口がある構成面を枠部材の枠の形状に合わせて形成するのが一般的であり、枠部材の枠を塞ぐ状態で設置される。ところが、システム天井を構成するにあたっては、枠部材の枠の一部が開口する状態で吹出ユニットを設置したい場合がある。例えば、枠部材の同じ枠に照明器具などを設置したい場合である。このような場合に、従来のシステム天井用の吹出ユニットではそのまま対応することができず、別の吹出ユニットが必要となっていた。
【０００６】
本発明は、かかる点に鑑みてなされたものであり、その目的とするところは、システム天井に設置される吹出ユニットについて、吹出ユニットを枠部材の枠を塞ぐ設置状態でも枠部材の枠の一部が開口する設置状態でも設置可能に構成することにある。
【課題を解決するための手段】
【０００７】
第１の発明は、ダクト（15）を通じて供給される調和空気が室内へ吹き出されるまでの間を流通する空気通路（25）が内部に形成されるケーシング（34）を備え、システム天井に設置される吹出ユニット（10）を対象とする。そして、この吹出ユニット（10）は、上記ケーシング（34）は、対向する一対の構成面がシステム天井の枠部材（30）の枠に対応する形状となった扁平な箱状に形成され、上記ケーシング（34）では、上記枠部材（30）の枠に対応する形状となった第１の構成面（35）に第１開口（26）が、該第１の構成面（35）に隣り合う第２の構成面（36）に第２開口（27）がそれぞれ形成され、上記ケーシング（34）が第１の構成面（35）が底面となる状態で上記枠部材（30）の枠に嵌め込まれて第２開口（27）にダクト（15）が接続され且つ第１開口（26）が吹出口となる第１の設置状態と、上記ケーシング（34）が第２の構成面（36）が底面となる状態で上記枠部材（30）の枠に嵌め込まれて第１開口（26）にダクト（15）が接続され且つ第２開口（27）が吹出口となる第２の設置状態との何れでも設置可能に構成されている。
【０００８】
第１の発明では、ケーシング（34）の第１の構成面（35）が、システム天井の枠部材（30）の枠に対応する形状に形成されている。従って、第１の構成面（35）が底面となる第１の設置状態では、ケーシング（34）が枠部材（30）の枠を塞ぐ状態になる。また、ケーシング（34）は扁平な箱状に形成されているので、ケーシング（34）では第１の構成面（35）やこれに対向する構成面の面積が最も大きい。従って、第１の構成面（35）に隣り合わせる第２の構成面（36）の面積は、第１の構成面（35）よりも面積が小さい。つまり、第２の構成面（36）は枠部材（30）の枠よりも小さい。
【０００９】
第２の発明は、上記第１の発明において、上記ケーシング（34）の空気通路（25）には、上記ダクト（15）から該空気通路（25）に流入する空気を上記吹出口へ送るためのファンユニット（12）が設けられている。
【００１０】
第２の発明では、調和空気の室内への吹出風量がファンユニット（12）によって調節される。ファンユニット（12）は、室内に吹出口を通じて連通する空気通路（25）に設置されている。
【００１１】
第３の発明は、上記第２の発明において、上記ファンユニット（12）は、上記第１開口（26）に対面する第１の送風口（23）と上記第２開口（27）に対面する第２の送風口（24）と側方に開口する吸気口（20）とが形成されたファンハウジング（14）と、該ファンハウジング（14）に収容されて多数の羽根が回転方向に並ぶ状態で設けられた羽根車（13）と、上記第１の送風口（23）を開閉するための第１の蓋部材（21）と、上記第２の送風口（24）を開閉するための第２の蓋部材（22）とを備えており、上記第１の設置状態では上記第１の蓋部材（21）により第１の送風口（23）が開状態に設定されて上記第２の蓋部材（22）により第２の送風口（24）が閉状態に設定され、上記第２の設置状態では上記第１の蓋部材（21）により第１の送風口（23）が閉状態に設定されて上記第２の蓋部材（22）により第２の送風口（24）が開状態に設定される。
【００１２】
第３の発明では、第１の設置状態の時には、ダクト（15）が接続される第２開口（27）から空気通路（25）に流入した調和空気が、ファンハウジング（14）の吸気口（20）からファンハウジング（14）内に吸い込まれ、第１の送風口（23）から吹出口となる第１開口（26）へ向かって吹き出される。一方、第２の設置状態の時には、ダクト（15）が接続される第１開口（26）から空気通路（25）に流入した調和空気が、ファンハウジング（14）の吸気口（20）からファンハウジング（14）内に吸い込まれ、第２の送風口（24）から吹出口となる第２開口（27）へ向かって吹き出される。ここで、ファンハウジング（14）の吸気口（20）は、側方に開口しており、第１の構成面（35）に対しても第２の構成面（36）に対しても概ね同じ方向を向く状態になっている。従って、ファンハウジング（14）の吸気口（20）は、第１の設置状態でダクト（15）が接続される第１開口（26）に対しても、第２の設置状態でダクト（15）が接続される第２開口（27）に対しても概ね同じ方向を向いている。
【００１３】
第４の発明は、上記第１乃至第３の何れか１つの発明において、上記ケーシング（34）の空気通路（25）において上記第１開口（26）と第２開口（27）とに跨る状態で取り付けられるフィルタ部材（40）を備えている。
【００１４】
第４の発明では、フィルタ部材（40）が第１開口（26）と第２開口（27）とに跨る状態で取り付けられる。つまり、フィルタ部材（40）は第１開口（26）と第２開口（27）とに共用されている。
【００１５】
第５の発明は、上記第４の発明において、上記ケーシング（34）の空気通路（25）には、上記第１開口（26）から挿入されるフィルタ部材（40）を第２開口（27）側へ案内すると共に、該第２開口（27）から挿入されるフィルタ部材（40）を第１開口（26）側へ案内するガイド部材（43,44）が設けられている。
【００１６】
第５の発明では、第１開口（26）からフィルタ部材（40）を挿入すると、ガイド部材（43,44）によってフィルタ部材（40）が第２開口（27）側へ案内される。一方、第２開口（27）からフィルタ部材（40）を挿入すると、ガイド部材（43,44）によってフィルタ部材（40）が第１開口（26）側へ案内される。つまり、この第５の発明では、フィルタ部材（40）を第１開口（26）から挿入しても第２開口（27）から挿入しても、ガイド部材（43,44）によってフィルタ部材（40）が第１開口（26）と第２開口（27）と跨る状態に案内される。
【発明の効果】
【００１７】
本発明では、第１の設置状態では、ケーシング（34）が枠部材（30）の枠を塞ぐ状態になる。また、第２の構成面（36）は枠部材（30）の枠よりも小さい。従って、第２の設置状態では枠部材（30）の枠の一部が開口する状態になる。よって、本発明の吹出ユニット（10）は、枠部材（30）の枠を塞ぐ第１の設置状態と枠部材（30）の枠の一部が開口する第２の設置状態との何れでも設置することができる。第２の設置状態では、吹出ユニット（10）を設置した枠部材（30）の枠の一部が開口した状態になるので、吹出ユニット（10）に隣り合わせて照明器具（9）などの他の機器を設置することが可能であり、システム天井の構成のバリエーションを増やすことができる。
【００１８】
また、第２の発明では、調和空気の室内への吹出風量を調節するためのファンユニット（12）が、室内に吹出口を通じて連通する空気通路（25）に設置されている。ファンユニット（12）は、ダクト（15）の下流に設置されている。従って、調和空気の室内への吹出風量がダクト（15）の影響を受けにくいので、調和空気の室内への吹出風量を調節しやすくなる。
【００１９】
また、第３の発明では、ファンハウジング（14）の吸気口（20）が、第１の設置状態でダクト（15）が接続される第１開口（26）に対しても、第２の設置状態でダクト（15）が接続される第２開口（27）に対しても概ね同じ方向を向いている。すなわち、第１の設置状態でも第２の設置状態でも、ファンハウジング（14）の吸気口（20）は、調和空気が流入する開口（26,27）に対して同じ様な位置関係になる。従って、空気通路（25）に流入した調和空気が吹出口へ至るまでに受ける圧力損失が、第１の設置状態と第２の設置状態とで概ね等しくなるので、設置状態による吹出風量の違いを抑制することができる。
【００２０】
また、第４の発明では、フィルタ部材（40）を第１開口（26）と第２開口（27）とで共用している。従って、第１開口（26）と第２開口（27）とに対して別々にフィルタ部材を設ける場合に比べて、ファンユニット（12）の構成を簡素化することができる。
【００２１】
また、第５の発明では、ガイド部材（43,44）を設けることで、フィルタ部材（40）を第１開口（26）から挿入しても第２開口（27）から挿入しても、フィルタ部材（40）が第１開口（26）と第２開口（27）と跨る状態に案内される。従って、第１開口（26）からも第２開口（27）からも比較的容易にフィルタ部材（40）を取り付けることができる。
【発明を実施するための最良の形態】
【００２２】
以下、本発明の実施形態を図面に基づいて詳細に説明する。
【００２３】
本実施形態の吹出ユニット（10）は、図１に示すように、ダクト（15）が接続されて、ダクト（15）を通じて供給される調和空気を室内へ供給するためのものである。この吹出ユニット（10）は、システム天井用の吹出ユニットとして構成されている。以下では、先ず本実施形態に係る吹出ユニット（10）が設置されるシステム天井について説明し、次に本実施形態に係る吹出ユニット（10）について説明する。
【００２４】
−システム天井の構成−
図２に示すように、システム天井は、システム天井用の枠部材（30）を備えている。枠部材（30）は、建物の躯体の天井から棒状の吊部材（32）を介して吊り下げられている。枠部材（30）は、真っ直ぐな枠構成部材（31,31,…）を格子状に組み立てることにより構成されている。枠部材（30）の各枠は、例えば一辺が６０ｃｍの正方形になっている。一般に、システム天井には、一辺が６０ｃｍの正方形の枠の枠部材（30）か、一辺が６４ｃｍの正方形の枠の枠部材（30）がよく用いられる。システム天井では、枠部材（30）の各枠を塞ぐように天井板などが取り付けられる。
【００２５】
枠構成部材（31）は、断面形状が略Ｔ次状に形成されている。枠構成部材（31）は、上面が平らなフランジ部（31a）と、フランジ部（31a）の上面の中央から上側に延びるウェブ部（31b）とを備えている。
【００２６】
−吹出ユニットの構成−
図１に示すように、吹出ユニット（10）は、扁平な直方体の箱状に形成されたケーシング（34）を備えている。ケーシング（34）では、最も面積が大きい一対の構成面の一方である第１の構成面（35）に第１開口（26）が形成され、第１の構成面（35）に隣り合う第２の構成面（36）に第２開口（27）が形成されている。ケーシング（34）では、これらの開口（26,27）の間が直方体状の空気通路（25）になっている。空気通路（25）は、ダクト（15）を通じて供給される調和空気が室内へ向かって流通する。
【００２７】
ケーシング（34）では、第１の構成面（35）が正方形に形成されている。第１の構成面（35）は、一辺が６０ｃｍよりも僅かに短く、枠部材（30）の枠におけるウェブ部（31b）の内周部分の形状よりも僅かに小さくなっている。つまり、第１の構成面（35）は、システム天井の枠部材（30）の枠に対応する形状になっている。
【００２８】
また、ケーシング（34）では、第２の構成面（36）が長方形に形成されている。第２の構成面（36）では、第１の構成面（35）と第２の構成面（36）とが共有する辺（以下「共有辺」という）とこれに対向する辺とが、第１の構成面（35）の一辺と同じ長さである。また、第２の構成面（36）では、共有辺とこれに対向する辺とを結ぶ一対の辺が、第１の構成面（35）の一辺よりも短くなっている。つまり、第２の構成面（36）では、共有辺とこれに対向する辺とが枠部材（30）の枠の一辺と概ね同じ長さであり、共有辺とこれに対向する辺とを結ぶ一対の辺が枠部材（30）の枠の一辺よりも短くなっている。
【００２９】
第１の構成面（35）では、第１開口（26）が第１の構成面（35）よりも僅かに小さい正方形状に形成されている。第１の構成面（35）における第１開口（26）の周囲の幅は全周に亘って均一になっている。第２の構成面（36）では、第２開口（27）が第２の構成面（36）よりも僅かに小さい長方形状に形成されている。第２の構成面（36）における第２開口（27）の周囲の幅は全周に亘って均一になっている。
【００３０】
本実施形態の吹出ユニット（10）は、２つの設置状態のうち何れでも設置可能に構成されている。第１の設置状態では、図２（Ａ）に示すように、第１の構成面（35）が底面となるようにケーシング（34）が枠部材（30）の枠に嵌め込まれる。第２の設置状態では、図２（Ｂ）に示すように、第２の構成面（36）が底面となるようにケーシング（34）が枠部材（30）の枠に嵌め込まれる。
【００３１】
吹出ユニット（10）を第１の設置状態で設置する場合は、ケーシング（34）を枠部材（30）の枠に嵌め込む前に、第２の構成面（36）に薄板状のダクト接続用部材（16）が取り付けられる。ダクト接続用部材（16）は、第２の構成面（36）と同じ大きさで、中央にダクト（15）を接続するための円形孔が形成されている。そして、ケーシング（34）を吊金具を介して建物の躯体から吊り下げた状態からケーシング（34）の高さを調節してケーシング（34）を枠部材（30）の枠に嵌め込む。ケーシング（34）は、枠構成部材（31）のウェブ部（31b）の内側に収まり、外周部分が全周に亘ってフランジ部（31a）に載る状態になる。ケーシング（34）を枠部材（30）の枠に嵌め込むと、第２開口（27）にダクト接続用部材（16）を介してダクト（15）の一端が接続される。ダクト（15）の他端は、システム天井の天井裏に吹出ユニット（10）に隣接して設置された空調機の室内機に接続される。また、第１の構成面（35）には、第１の構成面（35）と同じ大きさの化粧パネル（19）が取り付けられる。これにより、室内機で温度調節された調和空気が、ダクト（15）を介して第２開口（27）から空気通路（25）へ流入し、第１開口（26）から室内に吹き出される。
【００３２】
吹出ユニット（10）を第２の設置状態で設置する場合は、ケーシング（34）を枠部材（30）の枠に嵌め込む前に、第１の構成面（35）に薄板状のダクト接続用部材（17）が取り付けられる。ダクト接続用部材（17）は、第１の構成面（35）と同じ大きさで、中央にダクト（15）を接続するための円形孔が形成されている。そして、ケーシング（34）を吊金具を介して建物の躯体から吊り下げた状態からケーシング（34）の高さを調節してケーシング（34）を枠部材（30）の枠に嵌め込む。ケーシング（34）は、枠構成部材（31）のウェブ部（31b）の内側に収まり、外周部分のうち共有辺とこれに対向する辺とを結ぶ一対の辺がフランジ部（31a）に載る状態になる。ケーシング（34）を枠部材（30）の枠に嵌め込むと、第１開口（26）にダクト接続用部材（17）を介してダクト（15）の一端が接続される。ダクト（15）の他端は、室内機に接続される。また、第２の構成面（36）には、第２の構成面（36）と同じ大きさの化粧パネル（19）が取り付けられる。これにより、室内機で温度調節された調和空気が、ダクト（15）を介して第１開口（26）から空気通路（25）へ流入し、第２開口（27）から室内空間に供給される。
【００３３】
なお、本実施形態について、第２の構成面（36）に取り付けられるダクト接続用部材（16）の厚みが比較的大きい場合は、ケーシング（34）は、ダクト接続用部材（16）の厚みを考慮して、第２の構成面（36）とこれに対向する構成面との離間距離が上記実施形態に比べて短くなるように形成する。つまり、第１の構成面（35）が、ダクト接続用部材（16）の厚みを考慮した上でシステム天井の枠部材（30）の枠に対応する形状に形成される。
【００３４】
−実施形態の効果−
上記実施形態では、第１の設置状態では、ケーシング（34）が枠部材（30）の枠を塞ぐ状態になる。また、第２の構成面（36）は枠部材（30）の枠よりも小さく、第２の設置状態では枠部材（30）の枠の一部が開口する状態になる。よって、本発明の吹出ユニット（10）は、枠部材（30）の枠を塞ぐ第１の設置状態と枠部材（30）の枠の一部が開口する第２の設置状態との何れでも設置することができる。第２の設置状態では、吹出ユニット（10）を設置した枠部材（30）の枠の一部が開口した状態になるので、吹出ユニット（10）に隣り合わせて照明器具（9）などの他の機器を設置することが可能であり、システム天井の構成のバリエーションを増やすことができる。
【００３５】
−実施形態の変形例１−
実施形態の変形例１について説明する。この変形例１では、図３及び図４に示すように、ケーシング（34）の空気通路（25）に、いわゆるシロッコファンにより構成されたファンユニット（12）が設けられている。ファンユニット（12）は、ファンモータ（11）と羽根車（13）とファンハウジング（14）と第１の蓋部材（21）と第２の蓋部材（22）とを備えている。
【００３６】
ファンモータ（11）は、取付具を介して第１の構成面（35）に対面する構成面に取り付けられている。羽根車（13）は、ファンモータ（11）の回転軸に連結され、ファンハウジング（14）に収容されている。羽根車（13）は、略円筒状に形成されており、側部に複数の羽根が回転方向に並ぶ状態で設けられている。羽根車（13）の側部は、羽根と羽根の間が隙間になっている。
【００３７】
ファンハウジング（14）は、接線方向に延びる突出部分を２つ有する略円筒状に形成されている。ファンハウジング（14）では、２つの突出部分の突出方向が互いに直交している。ファンハウジング（14）の一方の突出部分の先端には第１の送風口（23）が形成され、他方の突出部分の先端には第２の送風口（24）が形成されている。第１の送風口（23）は第１開口（26）に対面し、第２の送風口（24）は第２開口（27）に対面している。また、ファンハウジング（14）の円筒部分の一方の底面には吸気口（20）が形成されている。
【００３８】
第１の蓋部材（21）は、板状に形成されている。第１の蓋部材（21）は、第１の送風口（23）を横断するようにファンハウジング（14）に取り付けられたピン部材に固定されている。第１の送風口（23）は、第１の蓋部材（21）をピン部材を中心として回転させることにより開閉される。同様に、第２の蓋部材（22）は、板状に形成されている。第２の蓋部材（22）は、第２の送風口（24）を横断するようにファンハウジング（14）に取り付けられたピン部材に固定されている。第２の送風口（24）は、第２の蓋部材（22）をピン部材を中心として回転させることにより開閉される。
【００３９】
この変形例１では、吹出ユニット（10）を第１の設置状態で設置する場合に、図４（Ａ）に示すように、第１の蓋部材（21）により第１の送風口（23）が開状態に設定され第２の蓋部材（22）により第２の送風口（24）が閉状態に設定される。また、吹出ユニット（10）を第２の設置状態で設置する場合に、図４（Ｂ）に示すように、第２の設置状態では第１の蓋部材（21）により第１の送風口（23）が閉状態に設定され第２の蓋部材（22）により第２の送風口（24）が開状態に設定される。この変形例１では、ファンユニット（12）が、第１の設置状態と第２の設置状態とに対応可能でその切り換えを容易に行うことができるように構成されている。
【００４０】
この変形例１では、調和空気の室内への吹出風量を調節するためのファンユニット（12）が、室内に吹出口を通じて連通する空気通路（25）に設置されている。ファンユニット（12）は、ダクト（15）の下流に設置されている。従って、調和空気の室内への吹出風量がダクト（15）の影響を受けにくいので、調和空気の室内への吹出風量を調節しやすくなる。
【００４１】
また、この変形例１では、ファンハウジング（14）の吸気口（20）が、第１の設置状態でダクト（15）が接続される第１開口（26）に対しても、第２の設置状態でダクト（15）が接続される第２開口（27）に対しても概ね同じ方向を向いている。すなわち、第１の設置状態でも第２の設置状態でも、ファンハウジング（14）の吸気口（20）は、調和空気が流入する開口（26,27）に対して同じ様な位置関係になる。従って、空気通路（25）に流入した調和空気が吹出口へ至るまでに受ける圧力損失が、第１の設置状態と第２の設置状態とで概ね等しくなるので、設置状態による吹出風量の違いを抑制することができる。
【００４２】
−実施形態の変形例２−
実施形態の変形例２について説明する。この変形例２では、図５に示すように、吹出ユニット（10）がフィルタ部材（40）を備えている。フィルタ部材（40）は、ケーシング（34）の空気通路（25）において第１開口（26）と第２開口（27）に跨る状態で取り付けられる。
【００４３】
具体的に、フィルタ部材（40）は、略長方形状に形成されている。フィルタ部材（40）は、可撓性を有するように枠状の部材に網目状のフィルタが貼り付けられることにより構成されている。フィルタ部材（40）は、幅が空気通路（25）の幅に概ね等しく、長さが空気通路（25）の奥行きより長くなっている。
【００４４】
ケーシング（34）の内側には、２つの嵌合溝（41）と内側ガイド部材（43）と外側ガイド部材（44）とが設けられている。嵌合溝（41）は、フィルタ部材（40）の端部を嵌め込むためのものである。嵌合溝（41）は、第１の構成面（35）に対面する第３の構成面（37）における第２の構成面（36）寄りの位置と、第２の構成面（36）に対面する第４の構成面（38）における第１の構成面（35）寄りの位置とにそれぞれ設けられている。
【００４５】
内側ガイド部材（43）と外側ガイド部材（44）とは、第１の構成面（35）側からフィルタ部材（40）を取り付ける場合にフィルタ部材（40）の端部を第３の構成面（37）の嵌合溝（41）へ案内すると共に、第２の構成面（36）側からフィルタ部材（40）を取り付ける場合にフィルタ部材（40）の端部を第４の構成面（38）の嵌合溝（41）へ案内するためのものである。内側ガイド部材（43）と外側ガイド部材（44）とは、ファンハウジング（14）の吸気口（20）に対面する第５の構成面とこれに対面する第６の構成面とにそれぞれ設けられている。内側ガイド部材（43）と外側ガイド部材（44）とは、第５の構成面と第６の構成面との各々から僅かにに突出している。内側ガイド部材（43）は、第１の設置状態において第１の構成面（35）の真ん中付近から第２の構成面（36）の上寄りの位置に向かって外側に湾曲する状態で延びている。外側ガイド部材（44）は、円柱状に形成され、内側ガイド部材（43）の外側に配置されている。
【００４６】
フィルタ部材（40）を第１開口（26）側から取り付ける場合は、フィルタ部材（40）を内側ガイド部材（43）と外側ガイド部材（44）と間に挿入して、フィルタ部材（40）の一端を第３の構成面（37）の嵌合溝（41）に嵌め込んだ後にフィルタ部材（40）を湾曲させてその他端を第４の構成面（38）の嵌合溝（41）に嵌め込む。また、フィルタ部材（40）を第１開口（26）から取り外す場合は、フィルタ部材（40）の他端を第４の構成面（38）の嵌合溝（41）から取り外した後にフィルタ部材（40）を引っ張り出す。
【００４７】
一方、フィルタ部材（40）を第２海口（27）から取り付ける場合は、フィルタ部材（40）を内側ガイド部材（43）と外側ガイド部材（44）と間に挿入して、フィルタ部材（40）の一端を第４の構成面（38）の嵌合溝（41）に嵌め込んだ後にフィルタ部材（40）を湾曲させてその他端を第３の構成面（37）の嵌合溝（41）に嵌め込む。また、フィルタ部材（40）を第２開口（27）から取り外す場合は、フィルタ部材（40）の他端を第３の構成面（37）の嵌合溝（41）から取り外した後にフィルタ部材（40）を引っ張り出す。
【００４８】
この変形例２では、１つのフィルタ部材（40）が、第１開口（26）と第２の開口（27）との２つの開口に共用されている。従って、フィルタ部材（40）を設ける場合の吹出ユニット（10）の構成を簡素化することができる。
【００４９】
また、この変形例２では、内側ガイド部材（43）と外側ガイド部材（44）とが設けられているので、第１開口（26）と第２開口（27）のそれぞれからフィルタ部材（40）の取り付け及び取外しを容易に行うことができる。つまり、第１の設置状態でも第２の設置状態でも、室内からフィルタ部材（40）の取り付け及び取外しを容易に行うことができる。従って、フィルタ部材（40）のメンテナンス作業が容易になる。
【００５０】
《その他の実施形態》
上記実施形態について、図６に示すように、ケーシング（34）の第１の構成面（35）における第１開口（26）の周囲に段差を形成してもよい。この場合、第１の設置状態において段差の下側となる角部には、全周に亘って面取りを施す。これにより、ケーシング（34）を設置する際に、ケーシング（34）が枠部材（30）の枠から多少ずれていても、ケーシング（34）が枠部材（30）の枠に引っ掛かりにくく、ケーシング（34）の設置が容易になる。なお、同様に、ケーシング（34）の第２の構成面（36）における第２開口（27）の周囲にも段差を形成してもよく、第２の設置状態において段差の下側となる角部には全周に亘って面取りを施すようにしてもよい。
【００５１】
また、上記実施形態について、吹出ユニット（10）を枠部材（30）の枠に固定するための固定部材をケーシング（34）に設けるようにしてもよい。例えば、固定部材は、ケーシング（34）の第１の構成面（35）や第２の構成面（36）の外縁部に設け、ネジなどによって枠構成部材（31,31,…）を挟み込むことが可能なものとして構成する。これにより、吹出ユニット（10）は、建物躯体から吊り下げなくても例えば地震などによって外れることがなく安定的に枠部材（30）に固定されるので、吹出ユニット（10）を建物躯体から吊り下げる作業を省略することができる。
【００５２】
なお、以上の実施形態は、本質的に好ましい例示であって、本発明、その適用物、あるいはその用途の範囲を制限することを意図するものではない。
【産業上の利用可能性】
【００５３】
以上説明したように、本発明は、ダクトを通じて供給される調和空気を室内へ供給するための吹出ユニットについて有用である。
【図面の簡単な説明】
【００５４】
【図１】本発明の実施形態に係る吹出ユニットの縦断面図である。
【図２】本発明の実施形態に係る吹出ユニットをシステム天井に設置した状態の斜視図であり、（Ａ）は第１の設置状態を示すものであり、（Ｂ）は第２の設置状態を示すものである。
【図３】本発明の実施形態の変形例１に係る吹出ユニットの横断面図である。
【図４】本発明の実施形態の変形例１に係る吹出ユニットの内部の側面図であり、（Ａ）は第１の設置状態を示すものであり、（Ｂ）は第２の設置状態を示すものである。
【図５】本発明の実施形態の変形例２に係る吹出ユニットの内部の側面図である。
【図６】その他の実施形態に係る吹出ユニットの第１の構成面の開口の周囲の拡大縦断面図である。
【符号の説明】
【００５５】
10  吹出ユニット
12  ファンユニット
13  羽根車
14  ファンハウジング
15  ダクト
20  吸気口
21  第１の蓋部材
22  第２の蓋部材
23  第１の送風口
24  第２の送風口
25  空気通路
26  開口
27  開口
30  枠部材
34  ケーシング
35  第１の構成面
36  第２の構成面
40  フィルタ部材
43  内側ガイド部材
44  外側ガイド部材
【図１】
2008014544.tif 000003
【図２】
2008014544.tif 000004
【図３】
2008014544.tif 000005
【図４】
2008014544.tif 000006
【図５】
2008014544.tif 000007
【図６】
2008014544.tif 000008